(57)【要約】【課題】マクロ撮影等、撮影距離や撮影倍率に応じて被写界深度を優先した撮影を行うことができるカメラを提供する。【解決手段】撮影光学系における絞り口径を変化させる機械絞りと、透過率を変化させる物性フィルタとを有する絞り装置において、撮影距離を検出する検出手段を有し、機械絞りの最小口径を撮影距離に応じて変更する。【選択図】　図２
2004093881.tif 000002
【特許請求の範囲】
【請求項１】
撮影光学系における絞り口径を変化させる機械絞りと、透過率を変化させる物性フィルタとを有する絞り装置において、
撮影距離を検出する検出手段を有し、前記機械絞りの最小口径を撮影距離に応じて変更することを特徴とする絞り装置。
【請求項２】
撮像素子を有する撮像装置の撮影レンズの絞り口径を変化させる機械絞りと、透過率を変化させる物性フィルタとを有する絞り装置において、
撮影距離を検出する検出手段と焦点距離を検出する検出手段を有し、撮影距離と焦点距離から得られる撮影倍率に応じて前記機械絞りの最小口径を変更することを特徴とする絞り装置。
【請求項３】
請求項１又は２に記載の絞り装置を有することを特徴とする交換レンズ。
【請求項４】
請求項１又は２に記載の絞り装置を有することを特徴とするカメラ。
【請求項５】
カメラ本体と、このカメラ本体に着脱可能な交換レンズとを有するカメラシステムにおいて、
請求項１又は２に記載の絞り装置を有することを特徴とするカメラシステム。
【発明の詳細な説明】
【０００１】
【発明の属する技術分野】
本発明は、カメラの撮影レンズの絞り口径を変化させる絞り装置及びカメラシステムに関するものである。
【０００２】
【従来の技術】
撮像装置の絞り口径をある程度以下の小口径にすると絞り開口による回折現象により結像性能が劣化する。これを防止するため、例えば、特開平１０−４２１９０号公報のように絞り口径を変化させる機械絞りと透過率を変化させる物性フィルタを併用した絞り装置により、回折による結像性能の劣化が発生しない範囲内で機械絞りを制御し、それよりも光量を減らす場合は物性フィルタの透過率を減らす制御を行なっている。
【０００３】
【発明が解決しようとする課題】
しかし、被写界深度の深い撮影を行ないたい場合、特にマクロ撮影の場合には問題がある。
【０００４】
本発明の目的は、マクロ撮影等、撮影距離に応じて被写界深度を優先した撮影を行なえるカメラシステムを提供することにある。
【０００５】
【課題を解決するための手段】
上記目的を達成するための本願第一の発明は、撮影光学系における絞り口径を変化させる機械絞りと、透過率を変化させる物性フィルタとを有する絞り装置において、撮影距離を検出する検出手段を有し、機械絞りの最小口径を撮影距離に応じて変更することを特徴とする。
【０００６】
また、上記目的を達成するための本願第二の発明は、撮影光学系における絞り口径を変化させる機械絞りと、透過率を変化させる物性フィルタを有する絞り装置において、撮影距離を検出する検出手段と焦点距離を検出する検出手段を有し、撮影距離と焦点距離から得られる撮影倍率に応じて機械絞りの最小口径を変更することを特徴とする。
【０００７】
【発明の実施の形態】
（第１実施形態）
以下、本発明の第１実施形態について詳細に説明する。
【０００８】
図１において、１はカメラ全体の動作を制御するマイクロコンピュータ、２はレンズ鏡筒内のフォーカス駆動、機械絞り駆動及び物性フィルタ駆動を制御するレンズ内制御回路、３はカメラの液晶表示装置の液晶を駆動する液晶表示回路である。
【０００９】
４は種々の検出スイッチの状態を検出するスイッチセンス回路、５はストロボ装置を制御するストロボ発光調光制御回路、６は撮影レンズの焦点を検出する焦点検出回路である。
【００１０】
７は測光素子を内臓している測光回路、８はシャッタの駆動制御を行なうシャッタ制御回路、ＳＷ１はカメラの動作を開始させるスイッチ、ＳＷ２はレリーズボタンの押し下げ動作と連動して投入されるスイッチである。
【００１１】
マイクロコンピュータ１と各回路との間に描かれた二重線はマイクロコンピュータ１の入出力ポートと各回路との間に設けられたシリアルデータバスＤＢＵＳであり、シリアルデータバスＤＢＵＳを介してマイクロコンピュータ１と各回路との間でデータ通信が行われる。
【００１２】
また、マイクロコンピュータ１と各回路との間に二点鎖線で描かれているのはマイクロコンピュータ１により各回路を制御するための制御信号である。
【００１３】
レンズ内アクチュエータ制御回路２はマイクロコンピュータ１からＬＣＯＭ信号を受けている間、データバスＤＢＵＳを介してマイクロコンピュータ１とシリアル通信を行なう。シリアル通信によりアクチュエータ駆動情報を受け取り、その情報によりレンズ鏡筒内のアクチュエータを制御する。
【００１４】
また、同時にレンズ各種の情報（ズーム位置、フォーカス位置、機械絞りの開放ＦＮｏと最大ＦＮｏ、物性フィルタの最大透過率と最小透過率等）をシリアル通信によりマイクロコンピュータ１に送る。
【００１５】
液晶表示回路３はカメラの各撮影情報、例えば、シャッタースピード、絞り値、ＩＳＯ感度、撮影枚数、などを撮影者に知らせるための不図示の液晶表示器を駆動するための回路であり、この回路３はマイクロコンピュータ１からＤＰＣＯＭ信号を受けている間、データバスＤＢＵＳを介しマイクロコンピュータ１とシリアル通信を行なう。
【００１６】
シリアル通信により表示データを受け取り、そのデータに従って液晶表示器を駆動する。
【００１７】
スイッチセンス回路４は撮影者が各撮影条件を設定するためのスイッチやカメラの状態を示すスイッチの状態を読み取りマイクロコンピュータ１に送る回路であり、マイクロコンピュータ１からＳＷＣＯＭ信号を受けている間、データバスＤＢＵＳを介しシリアル通信によりマイクロコンピュータ１にスイッチデータを送る。
【００１８】
ストロボ発光調光制御回路５はストロボの発光とＴＴＬ調光による発光停止機能を制御する回路であり、この回路５はマイクロコンピュータ１からＳＴＣＯＭ信号を受けている間、データバスＤＢＵＳを介してマイクロコンピュータ１とシリアル通信を行ない、ストロボ制御に関するデータを受け取りストロボ装置に対し各種の制御を行なう。
【００１９】
焦点検出回路６は、既存の位相差検出方式により焦点調節状態を検出するためのラインセンサ、その蓄積読み出しのための回路ユニットになったものでマイクロコンピュータ１により制御される。
【００２０】
測光回路７は被写体の測光を行ないマイクロコンピュータ１の制御により測光出力をマイクロコンピュータ１に送る。マイクロコンピュータ１は送られた測光出力をＡ／Ｄ変換し、露出条件（シャッタースピード、絞り値、物性フィルタ、ＩＳＯ）の設定に用いる。
【００２１】
シャッタ制御回路８はマイクロコンピュータ１の制御信号に従って不図示のシャッタ先幕及び後幕の走行制御を行なう。
【００２２】
スイッチＳＷ１はカメラ動作を開始させるボタンに連動するスイッチであり、スイッチＳＷ１がＯＮされたことをマイクロコンピュータ１が認識するとマイクロコンピュータ１は焦点検出・測光・表示をスタートさせる。
【００２３】
スイッチＳＷ２はカメラのレリーズボタンと連動しており、ＳＷ２がＯＮされたことをマイクロコンピュータ１が認識すると露光動作がスタートする。Ｘ接点はシャッタ先幕の走行完了のタイミングでＯＮし、ストロボ発光のタイミングをストロボ発光調光制御回路５に知らせる役目をする。
【００２４】
図２は、図１に示したシステムにおける第１実施形態を表す撮影動作を示すフローチャート図である。上述したカメラシステムの構成において、図２のフローチャートに従い本実施形態の動作の説明を行なう。
【００２５】
初めに、電源がマイクロコンピュータ１に接続された状態で、スイッチＳＷ１がＯＦＦ状態であるか、ＯＮ状態であるかの判別を行なう（＃１００１）。ここで、スイッチＳＷ１がＯＦＦ状態の場合は終了し、スイッチＳＷ１がＯＮ状態の場合は（＃１００２）に機械絞りの口径を開放へ駆動する。
【００２６】
次に、物性フィルタの透過率を最大にし（＃１００３）、測光を開始し（＃１００４）、露光時間・ＦＮｏ演算を行ない（＃１００５）、露光時間・ＦＮｏ・物性フィルタの透過率の組合せを予め設定された優先順位に従って選択する（＃１００６）。
【００２７】
次に、撮影距離が所定値以上かどうかを判別し（＃１００７）、以上なら＃１０１０に進み、以上でない場合はＦＮｏを通常撮影での最大ＦＮｏ（通常の最小口径）よりも大きい最大値（通常の最小口径より更に小さいマクロの最小口径）に設定し（＃１００８）、露光時間・ＦＮｏ・物性フィルタの透過率の組合せを再選択し（＃１００９）、警告表示を行ってから＃１０１０へ進む。
【００２８】
＃１０１０でＳＷ２がＯＮかを判別し、ＯＮの場合は＃１０１１へ進み、ＯＮでない場合は＃１００１へ戻り、上記動作を繰り返す。＃１０１１では、シャッタの走行動作により撮像素子への露光が行なわれ撮影を終了する。
【００２９】
（第２実施形態）
次に、本発明の第２実施形態について説明する。本実施形態におけるカメラシステムの構成は、第１実施形態におけるカメラシステムの構成と同様である。
【００３０】
図３は、第２実施形態のカメラシステムにおける撮影動作を示すフローチャート図である。以下、図３のフローチャートに従い本実施形態の動作の説明を行なう。
【００３１】
初めに、電源がマイクロコンピュータ１に接続された状態で、スイッチＳＷ１がＯＦＦ状態であるか、ＯＮ状態であるかの判別を行なう（＃２００１）。ここで、スイッチＳＷ１がＯＦＦ状態の場合は終了し、スイッチＳＷ１がＯＮ状態の場合は（＃２００２）に機械絞りの口径を開放へ駆動する。
【００３２】
次に、物性フィルタの透過率を最大にし（＃２００３）、測光を開始し（＃２００４）、露光時間・ＦＮｏ演算を行ない（＃２００５）、露光時間・ＦＮｏ・物性フィルタの透過率の組合せを予め設定された優先順位に従って選択する（＃２００６）。
【００３３】
次に、前述の撮影レンズのズームとフォーカス情報からマイクロコンピュータ１は撮影倍率を演算し、撮影倍率が所定値以下かどうかを判別し（＃２００７）、以下なら＃２０１０に進み、以下でない場合はＦＮｏを通常撮影での最大ＦＮｏ（通常の最小口径）よりも大きい最大値（通常の最小口径より更に小さいマクロの最小口径）に設定し（＃２００８）、露光時間・ＦＮｏ・物性フィルタの透過率の組合せを再選択し（＃２００９）、警告表示を行った後、＃２０１０へ進む。
【００３４】
＃２０１０でＳＷ２がＯＮかを判別し、ＯＮの場合は＃２０１１へ進み、ＯＮでない場合は＃２００１へ戻り、上記動作を繰り返す。＃２０１１で露光が行なわれ撮影を終了する。
【００３５】
尚、撮影倍率の演算をマイクロコンピュータ１で行なったが、交換レンズの場合、レンズのズームとフォーカス情報からレンズ内ＲＯＭに撮影倍率データを格納し、前述のレンズ各種の情報（ズーム位置、フォーカス位置、機械絞りの開放ＦＮｏと最大ＦＮｏ、物性フィルタの最大透過率と最小透過率等）の一部としてもよい。
【００３６】
【発明の効果】
以上説明したように、マクロ撮影等、被写界深度を深くして撮影することが求められる撮影条件ではＦＮｏを通常撮影での最大ＦＮｏよりも大きい最大値に自動的にカメラが設定するので、より使いやすく震度の深い写真撮影を行なうことができる。
【図面の簡単な説明】
【図１】本発明の実施形態に係るレンズカメラシステムのブロック図。
【図２】第１実施形態における撮影の主要動作を示すフローチャート図。
【図３】第２実施形態における撮影の主要動作を示すフローチャート図。
【符号の説明】
１　　マイクロコンピュ−タ
２　　レンズ内制御回路
３　液晶表示回路
４　スイッチセンス回路
５　ストロボ発光調光回路
６　　焦点検出回路
７　測光回路
８　シャッタ制御回路
【図１】
2004093881.tif 000003
【図２】
2004093881.tif 000004
【図３】
2004093881.tif 000005